(57)【要約】本発明は、腹膜透析の際にしばしば生じる、中皮間葉転換（ＭＭＴ）などの上皮間葉転換（ＥＭＴ）、特に腹膜のＥＭＴの診断の分野に関する。本発明は、少なくとも１つの細胞外マトリックスのタンパク質、例えばコラーゲン１３、コラーゲン６および／もしくはケラチン３４、少なくとも１つの細胞外マトリックスの構築および／または再構築に関与するタンパク質、例えばマトリックス・メタロプロテイナーゼ１、少なくとも１つの細胞−細胞接触および／または細胞−マトリックス接触に関与するタンパク質、例えばカドヘリン１３もしくはトロンボスポンジン１、少なくとも１つの増殖因子、例えばＶＥＧＦ、ならびにオプションとして、少なくとも１つのＢＭＰ拮抗薬、例えばグレムリン１、を含んで成るマーカーに基づく方法およびキットを供する。【選択図】図１
2018532995.tif 000002
【特許請求の範囲】
【請求項１】
サンプル中のマーカーの検出剤を含んで成る、上皮間葉転換（ＥＭＴ）の診断キットであって、
マーカーが、
ａ）細胞外マトリックスのタンパク質、
ｂ）細胞外マトリックスの構築および／または再構築に関与するタンパク質、
ｃ）細胞−細胞接触および／または細胞−マトリックス接触に関与するタンパク質、
ｄ）成長因子、ならびに
ｅ）オプションとして、ＢＭＰ拮抗薬
を含んで成る、
診断キット。
【請求項２】
サンプル中の複数のマーカーの非存在および／または量を検出することを含んで成る、上皮間葉転換（ＥＭＴ）の診断方法であって、
マーカーが、
ａ）細胞外マトリックスのタンパク質、
ｂ）細胞外マトリックスの構築および／または再構築に関与するタンパク質、
ｃ）細胞−細胞接触および／または細胞−マトリックス接触に関与するタンパク質、
ｄ）成長因子、ならびに
ｅ）オプションとして、ＢＭＰ拮抗薬
を含んで成る、
診断方法。
【請求項３】
サンプル中のマーカーの検出剤が、抗体またはその断片である、請求項１に記載の診断キットまたは請求項２に記載の診断方法。
【請求項４】
サンプル中のマーカーの検出剤が、固体サポートに結合されており、キットが好ましくは抗体チップを含んで成る、請求項１もしくは３に記載の診断キットまたは請求項２〜３のいずれかに記載の診断方法。
【請求項５】
細胞外マトリックスのタンパク質が、ケラチン３４を含んで成る群から選択されるケラチン、ならびに／またはコラーゲン１３およびコラーゲン６を含んで成る群から選択されるコラーゲンであり、
マーカーが、好ましくは細胞外マトリックスのタンパク質であるケラチン３４、コラーゲン１３およびコラーゲン６を含んで成る、請求項１もしくは３〜４のいずれかに記載の診断キットまたは請求項２〜４のいずれかに記載の診断方法。
【請求項６】
細胞外マトリックスの構築および／または再構築に関与するタンパク質が、マトリックス・メタロプロテイナーゼ１を含んで成る群から選択されるマトリックス・メタロプロテイナーゼである、請求項１もしくは３〜５のいずれかに記載の診断キットまたは請求項２〜５のいずれかに記載の診断方法。
【請求項７】
細胞−細胞接触および／または細胞−マトリックス接触に関与するタンパク質が、カドヘリン１３を含んで成る群から選択されるカドヘリンおよび／またはトロンボスポンジン１を含んで成る群から選択されるトロンボスポンジンであり、
マーカーが、好ましくはカドヘリン１３およびトロンボスポンジン１を含んで成る、請求項１もしくは３〜６のいずれかに記載の診断キットまたは請求項２〜６のいずれかに記載の診断方法。
【請求項８】
成長因子がＶＥＧＦである、請求項１もしくは３〜７のいずれかに記載の診断キットまたは請求項２〜７のいずれかに記載の診断方法。
【請求項９】
ＢＭＰ拮抗薬がグレムリン１である、請求項１もしくは３〜８のいずれかに記載の診断キットまたは請求項２〜８のいずれかに記載の診断方法。
【請求項１０】
マーカーが、カドヘリン１３、コラーゲン１３、コラーゲン６、ケラチン３４、マトリックス・メタロプロテアーゼ１、トロンボスポンジン１、ＶＥＧＦおよびグレムリン１である、請求項１もしくは３〜９のいずれかに記載の診断キットまたは請求項２〜９のいずれかに記載の診断方法。
【請求項１１】
マーカーの増加量が、上皮間葉転換（ＥＭＴ）を示す、請求項１もしくは３〜１０のいずれかに記載の診断キットまたは請求項２〜１０のいずれかに記載の診断方法。
【請求項１２】
上皮間葉転換が、腹膜の上皮間葉転換であり、好ましくは、サンプルが腹膜透析患者に由来する、請求項１もしくは３〜１１のいずれかに記載の診断キットまたは請求項２〜１１のいずれかに記載の診断方法。
【請求項１３】
サンプルが、
ａ）腹膜流出物、腹水、血清、腹膜組織を含んで成る患者から得られるサンプル、および
ｂ）腹膜透析のモデルとして有用な、細胞または組織培養物から得られる培養培地または細胞溶解物
を含んで成る群から選択される、請求項１もしくは３〜１２のいずれかに記載の診断キットまたは請求項２〜１２のいずれかに記載の診断方法。
【請求項１４】
上皮間葉転換を診断するための、好ましくは、腹膜透析患者の腹膜の上皮間葉転換を診断するための、請求項１または３〜１３のいずれかに記載の診断キットの使用。
【請求項１５】
請求項１もしくは３〜１３のいずれかに記載の診断キットおよび／または請求項２〜１３のいずれかに記載の診断方法を用いて、患者の組織の状態を分析することを含んで成る、患者の組織、好ましくは腹膜の上皮間葉転換の進行を予測する、方法。
【請求項１６】
請求項１もしくは３〜１３のいずれかに記載の診断キットおよび／または請求項２〜１３のいずれかに記載の診断方法を用いて、患者の腹膜の状態を分析することを含んで成る、腹膜透析患者の治療を最適化する方法であって、該治療が患者の腹膜の状態に合わせられる、方法。
【請求項１７】
腹膜透析溶液の検査方法であって、
ａ）腹膜のモデルとして作用する腹膜または細胞または組織培養物と、溶液とを接触させること、
ｂ）請求項１もしくは３〜１３のいずれかに記載の診断キットおよび／または請求項２〜１３のいずれかに記載の診断方法を用いて、腹膜または細胞または組織培養物の状態を分析すること
を含んで成る、検査方法。
【発明の詳細な説明】
【技術分野】
【０００１】
本発明は、腹膜透析の際にしばしば生じる上皮間葉転換（または上皮から間葉への移行、epithelial-to-mesenchymal transition、ＥＭＴ）、特に中皮間葉転換（mesothelial-to-mesenchymal transition、ＭＭＴ）、特に腹膜のＥＭＴの診断の分野に関する。本発明は、少なくとも１つの細胞外マトリックスのタンパク質、例えばコラーゲン１３、コラーゲン６および／もしくはケラチン３４、少なくとも１つの細胞外マトリックスの構築および／または再構築に関与するタンパク質、例えばマトリックス・メタロプロテイナーゼ１、少なくとも１つの細胞−細胞接触および／または細胞−マトリックス接触に関与するタンパク質、例えばカドヘリン１３もしくはトロンボスポンジン１、少なくとも１つの増殖因子、例えばＶＥＧＦ、ならびにオプションとして、少なくとも１つのＢＭＰ拮抗薬、例えばグレムリン１を含んで成るマーカーに基づく方法およびキットを供する。
【背景技術】
【０００２】
腹膜透析（peritoneal dialysis、ＰＤ）は、透析人口の約１０〜１５％にわたる末期腎疾患の治療における、血液透析（hemodialysis、ＨＤ）の有効かつ費用効率の高い代替法である。ＰＤ中に、腹膜組織または腹膜は、限外濾過および拡散が起こる半透膜として機能する。しかしながら、ＰＤの長期使用は未だに限定される。５０％近くの患者が、ＰＤの治療から４年または５年以内に血液透析に切り替えることを余儀なくされている。生体非適合性の（またはバイオインコンパティブルな、bioincompatible）ＰＤ液への長時間の曝露、腹膜炎および腹膜の症状の発現（expression）は、腹膜組織の変性変化を誘発し、最終的に限外濾過が失敗する。これらの腹膜の進行性の機能的および形態学的変化は、ＰＤ液における高濃度のグルコース、低ｐＨおよび乳酸緩衝液によって引き起こされ得、炎症反応、中皮細胞（mesothelial cell、ＭＣ）単層の漸次的な浸食（または露出、denudation）、副皮質線維症および新血管新生によって反映される。
【０００３】
長期間のＰＤの間、ＭＣは、上皮特徴の進行性喪失を受け、筋線維芽細胞様表現型（myofibroblast-like phenotype）を獲得する。上皮間葉転換（ＥＭＴ）は、頂端−側底極性の喪失（the loss of apical-basolateral polarity）、細胞間接合の破壊ならびに移動性および侵襲性の獲得を特徴とする、複雑で段階的なプロセスである（Selgasら（2006）による「腎臓病学のダイアル移植（Nephrol Dial Transplant） 21 ［補遺（Suppl） 2］ ii2-ii7、Aroeiraら（2007）による「自己組織化腎臓病学の米国学会誌（J Am Soc Nephrol）18:2004-2013」）。ＥＭＴを受けるＭＣは、細胞外マトリックス成分ならびに炎症性（inflammatory）、線維形成性（fibrogenic）および血管新生因子（angiogenic factors）を生成する能力を獲得する。腹膜組織のＥＭＴの進行中に、変換成長因子（transforming growth factor）ＴＧＦ−β１および血管内皮成長因子（vascular endothelial growth factor、ＶＥＧＦ）の上方制御（またはアップレギュレーション、upregulation）を介して、腹膜線維症および血管形成が誘発される。
【０００４】
現在のところ、ＰＤ中の腹膜の変化は避けられないが、例えば生体適合性溶液または別の治療スキーム（例えば、充填量および／または滞留時間の変更）による最適化処理は、少なくともこれらの変化を遅らせることができる。ＥＭＴは少なくとも初期段階では可逆的なプロセスである。さらに、ＰＤ処理の効率は、患者の腹膜の状態に基づいて最適化されてもよい。
【０００５】
ＥＭＴは、ＰＤの間の腹膜の変化に関与するのみでなく、胚形成および創傷治癒においても役割を果たす生物学的プロセスである。ＥＭＴはまた、器官の線維化を引き起こし、癌の進行および転移に影響を及ぼし得る。ＥＭＴはまた、肺を含む様々な器官における癌または変性線維性疾患などの種々の疾患の病因に寄与することも示している（WO2014/139885 A2）。
【０００６】
WO2014/139885 A2は、マトリックス・メタロプロテイナーゼＭＭＰ１０、細胞性および可溶性フィブロネクチン、Ｅ−カドヘリンならびにビメンチンがＥＭＴのマーカーであることを教示している。従来技術において、ＥＭＴに関連する、ＥＭＴまたは一般的には線維症のいくつかのさらなるマーカーが確認されている。例えば、WO2011/054893 A2は、ＴＬＲ−９発現のレベルと線維症との間の関連を示す。WO2012/042091は、ＴＡＫ１の測定（または判定、determination）に基づいて線維症の進行を測定する方法を教示している。US2013/0303563 A1は、ペリオスチン、ＨＳＰＧ分解、ＰＤＧＦ、レプチン、およびＣＤ６８＋マクロファージ密度が腹膜損傷のマーカーであることを開示している。US2013/020940 A1は、ＢＭＰ９またはＢＭＰ１０の測定が、線維性疾患を発症するリスクを評価するのに有用であることを示している。Aroeiraら（2007）は、ＰＤ患者の腹膜において、Ｅ−カドヘリン、サイトケラチン、クローディン、オクルディン、デスモプラキン、ＺＯ−１、ムチン−１、ｔＰＡおよびＣＤ３４の発現の減少、ならびにＮ−カドヘリン、スネイル、ビメンチン、ＴＧＦ−β、ファブロネクチン、細胞外マトリックスのタンパク質、特にコラーゲンIおよびIII、αＳＭＡ、ＦＧＦ−１およびＦＧＦ−２、ＭＭＰ−２およびＭＭＰ−９、ＦＳＰ−１、ＰＡＩ−１、ＶＥＧＦ、ならびにシクロオキシゲナーゼ−２などの発現の増加を教示する。
【０００７】
しかしながら、ＥＭＴを受ける組織の機能、例えばＰＤにおける腹膜の濾過能力と密接に関連するＥＭＴのマーカーを供する必要性に対する課題が残っている。本発明者らは、そのようなマーカーを供する課題を解決し、対応するキットおよびＥＭＴを診断するための方法を見出した。本発明の保護対象は、例えば、添付の特許請求の範囲によって説明される。
【発明の概要】
【０００８】
本発明は、サンプル中の複数のマーカーの非存在および／または量を検出することを含んで成る、上皮間葉転換（ＥＭＴ）、特にＭＭＴ、または最も好ましくは腹膜のＥＭＴの診断方法を供し、マーカーが以下を含んで成る。
ａ）細胞外マトリックスのタンパク質（extracellular matrix protein）、
ｂ）細胞外マトリックスの構築および／または再構築に関与するタンパク質（protein involved in building and/or restructuring of extracellular matrix）、
ｃ）細胞−細胞接触および／または細胞−マトリックス接触に関与するタンパク質（protein involved in cell-cell and/or cell-matrix contacts）、
ｄ）成長因子（growth factor）、ならびにオプションとして、
ｅ）ＢＭＰ拮抗薬（antagonist）。
【０００９】
本発明の文脈において、冠詞「１の（a）」は、他に明示的に指定されない限り、「１またはそれ以上の（one or more）」を意味すると解される。したがって、例えば、マーカーはまた、２または３（またはそれ以上）の細胞外マーカーのタンパク質または細胞−細胞接触および／または細胞−マトリックス接触に関与する２または３のタンパク質を含み得る。
【００１０】
本発明はまた、サンプル中のマーカーの検出剤（または試薬、agent）を含んで成る、上皮間葉転換（ＥＭＴ）の診断に対応するキットを供し、マーカーが以下を含んで成る。
ａ）細胞外マトリックスのタンパク質、
ｂ）細胞外マトリックスの構築および／または再構築に関与するタンパク質、
ｃ）細胞−細胞接触および／または細胞−マトリックス接触に関与するタンパク質、
ｄ）成長因子、ならびにオプションとして、
ｅ）ＢＭＰ拮抗薬。
【００１１】
好ましくは、マーカーがタンパク質形態である場合、サンプル中のマーカーの検出剤は、抗体またはその断片（fragment）である。抗体は、タンパク質形態のマーカーの検出に適している。抗体またはその断片は、ヒト、マウス、ラット、ウサギ、モルモット、ヤギ、ネコ、トリ、例えばニワトリ、またはキメラ起源のものであってもよい。それらは、ポリクローナルまたはモノクローナルであってもよく、または遺伝子工学によって生成されてもよい。抗体の断片は、例えばＦａｂ断片、Ｆａｂ２断片、ｓｃＦｖを含んで成る。
【００１２】
あるいは、サンプル中のマーカーの検出剤は、核酸、例えば核酸形態におけるマーカーの検出剤に適している、特にマーカーのＲＮＡ転写物またはそれに由来するｃＤＮＡの検出のためのマーカーの検出に適している、ＲＮＡまたはＤＮＡであってもよい。核酸は、好ましくは少なくとも部分的に一本鎖であり、またマーカーをエンコードする核酸と厳しい（stringent）条件下でハイブリダイズ（hybridizing）することができる。
【００１３】
好ましくは、サンプル中のマーカーの検出剤は、個体サポート（または支持体、support）、例えば磁性を有し得る、チップ、異なるサイズのビーズなどに結合され（または連結され、linked）てもよい。好ましくは、キットは、マイクロアレイ、特に抗体マイクロアレイ（抗体チップ（antibody chip）とも称される）を含んで成る。本発明に適合させることができる適切な抗体チップ・フォーマットは、例えば、Wingrenらによる「分子生物学における方法（Methods Mol Biol.） 509:57-84、2009」、Chagaらによる「分子生物学における方法 441:129-51、2008」に開示されており、またはAbnova Corporation、R&D Systems、Full Moon BioSystems、Raybiotech，Inc.、BioSimsなどの会社によってカスタム・メイドされていてもよい。
【００１４】
本発明者らは、健康な中皮細胞（腎不全のない患者の腹膜網（omentum）から得られた細胞）、類上皮細胞（epithelioid cells）（すなわち、ＰＤ患者の流出物（または流出液、effluent）から得られる、中皮細胞と同様の表現型（phenotype）を有する中皮細胞／ＭＭＴのＥＭＴの第１段階の細胞）、およびＥＭＴの進行段階における細胞（すなわち、表現型を変えた細胞、非類上皮細胞とも呼ばれる細胞）の遺伝子発現を分析した。細胞が非類上皮細胞表現型を獲得すると、顕著かつ特異的に上方調整されるいくらかの遺伝子が確認された。それらの発現および機能との相関を検証し、血清および流出物を含む種々の体液中のそれぞれのタンパク質レベルを調べた。驚くべきことに、本発明者らは、いくつかの官能基由来のマーカーがＥＭＴにおいて重要な役割を果たすことを見出した。本発明者らはさらに、これらのマーカーのＲＮＡおよびタンパク質の両方のレベルが、患者からの入手可能な臨床パラメーターと相関し、それらの調整が機能的に完了すること（functional conclusions）を可能にすることを見出した。特に、本発明のマーカーは、ＥＭＴの早期段階と進行段階とを区別することも可能にする。例えば、ＣＤＨ１３、ＣＯＬ６Ａ３、ＣＯＬ１３Ａ１、ＴＨＢＳ１およびＭＭＰ１のｍＲＮＡレベルは、ＥＭＴの早期および進行期の間の識別（または区別、discrimination）を可能にし、腹膜水輸送／限外濾過の臨床データと相関する。
【００１５】
本発明にしたがって分析されるマーカーの少なくとも１つ、好ましくは２つまたは３つは、細胞外マトリックスのタンパク質である。それは、ケラチン３４（keratin 34）（ＫＲＴ３４）を含んで成る群から選択されるケラチン、ならびに／またはコラーゲン１３（collagen 13）（ＣＯＬ１３Ａ１）およびコラーゲン６（collagen 6）（ＣＯＬ６Ａ１）を含んで成る群から選択されるコラーゲンであってもよい。好ましくは、マーカーは、細胞外マトリックスのタンパク質のケラチン３４、コラーゲン１３およびコラーゲン６を含んで成る。細胞外マトリックスのタンパク質の群からの代替マーカーまたは追加マーカーは、コラーゲン１および／またはコラーゲン３を含んで成る（Selgasら（2006）、Aroeiraら（2007））。
【００１６】
本発明にしたがって分析されるマーカーの少なくとも１つは、細胞外マトリックスの構築および／または再構築に関与するタンパク質である。それは、マトリックス・メタロプロテイナーゼ１（matrix metalloproteinase 1）（ＭＭＰ１）を含んで成る群から選択されるマトリックス・メタロプロテイナーゼであってもよい。細胞外マトリックスの構築および／または再構築に関与するタンパク質の群からの代替的または追加マーカーは、ＭＭＰ２、ＭＭＰ９および／またはＭＭＰ１０を含んで成る（Selgasら（2006）、Aroeiraら（2007）、US2013/0303563 A1、WO2014/139885 A2）。
【００１７】
本発明にしたがって分析される少なくとも１つ、好ましくは２つのマーカーは、細胞−細胞接触および／または細胞−マトリックス接触に関与するタンパク質である。カドヘリン１３（cadherin 13）（ＣＤＨ１３）を含んで成る群から選択されるカドヘリンであってもよく、および／またはトロンボスポンジン１（thrombospondin 1）（ＴＨＢＳ１またはＴＰＳ１）を含んで成る群から選択されるトロンボスポンジンであってもよい。好ましくは、マーカーは、カドヘリン１３およびトロンボスポンジン１を含んで成る。
【００１８】
細胞−細胞接触および／または細胞−マトリックス接触に関与するタンパク質の群からの代替マーカーまたは追加マーカーは、Ｎ−カドヘリン、Ｅ−カドヘリン（ＣＤＨ１）、ＣＤ４４、ビメンチンまたはフィブロネクチンである（Selgasら（2006）、Aroeiraら（2007））。
【００１９】
本発明にしたがって分析されるマーカーの少なくとも１つは、成長因子、例えば血管新生を促進する成長因子であり、成長因子は、好ましくは血管内皮増殖因子であるＶＥＧＦ（Selgasら（2006））であり、Aroeiraら（2004）はＥＭＴにおけるＶＥＧＦの役割を教示している。増殖因子の群からの代替マーカーまたは追加マーカーは、ＴＧＦ−β、ＦＧＦ−１、ＦＧＦ−２（Aroeiraら（2007））である。
【００２０】
オプションとして、本発明にしたがって分析されるマーカーは、ＢＭＰ拮抗薬、好ましくはグレムリン１（ＤＡＮファミリーＢＭＰ拮抗薬またはＧＲＥＭとも称される）である。Leeら（2007）らによる「眼科学および視覚科学に関する研究学会誌（Investigative Ophthalmology＆Visual Science） September 2007、Vol.48、4291-4299」は、グレムリン１が増殖性硝子体網膜症（proliferative vitreoretinopathy）におけるＥＭＴに関与していることを教示している。好ましくは、ＧＲＥＭなどのＢＭＰ拮抗薬は、潜在的にＥＭＴを受ける細胞、特にＰＤ患者の流出物からの細胞の上清（または浮遊物、supernatant）において測定される。発明者らは、流出物におけるＧＲＥＭの発現がＥＭＴと有意に関連していないため、流出物の分析がＧＲＥＭのようなＢＭＰ拮抗薬の分析を含む必要はないことを示した。
【００２１】
オプションのさらなるマーカーには、組織因子経路阻害剤（Tissue Factor Pathway Inhibitor、ＴＦＩ２）、トロンボモジュリン（Thrombomodulin、ＴＨＢＤ）、アクアポリン１（Aquaporin 1、ＡＱＰ１）および／またはキナーゼ・インサート・ドメイン受容体（Kinase Insert Domain Receptor、ＫＤＲ）が含まれる。
【００２２】
好ましい態様では、マーカーは、カドヘリン１３、コラーゲン１３、コラーゲン６、ケラチン３４、マトリックス・メタロプロテアーゼ１、トロンボスポンジン１、ＶＥＧＦ、およびオプションとしてグレムリン１である。
【００２３】
本発明者らは、上述したマーカーの増加量が上皮間葉転換（ＥＭＴ）を示すことを見出した。マーカーの量は、対照サンプル（control sample）、例えば健康な被験体（subject）、例えばＰＤを受けていないヒトから採取したサンプル、好ましくは、少なくとも２、少なくとも３、少なくとも４、少なくとも５、少なくとも１０または少なくとも２０の健康な被験体からのサンプルを含んで成るそのような対照サンプルのプールと比較することができる。あるいは、標準サンプル（standards）を用いて分析対象のサンプル中のマーカーの量を測定し、その結果を対照サンプルまたはそのプールから得られた結果と比較することができる。
【００２４】
２またはそれ以上の時点で（例えば処理前に（例えば腹膜の状態を分析する場合、ＰＤの前に）、処理後に（例えば特定の時間でＰＤを用いて、例えば少なくとも１ヶ月後、少なくとも６ヶ月後、少なくとも１年後、少なくとも２年後、少なくとも３年後、少なくとも４年後、少なくとも５年後、少なくとも６年後、少なくとも７年後、少なくとも８年後、少なくとも９年後、少なくとも１０年後、少なくとも１１年後、少なくとも１２年後、少なくとも１３年後、少なくとも１４年後、少なくとも１５年後、または少なくとも２０年後に））同じ被験体のマーカーの量を比較することも可能である。ＥＭＴは可逆的であり得るので、治療レジメン（または投薬計画、regimen）の変更、または使用されるＰＤ流体の変更後にも分析を行うこともできる。
【００２５】
好ましくは、本発明を通して、上皮間葉転換は腹膜の上皮間葉転換であり、好ましくは、サンプルは腹膜透析患者、例えば慢性腎疾患を有するＰＤ患者に由来する。本発明者らは、驚くべきことに、本発明のマーカーのセットが、腹膜の機能、特に腹膜による濾過の有効性と密接な関連を示すことを見出した。
【００２６】
ＰＤは、例えばＣＡＰＤ（連続歩行型腹膜透析、continuous ambulatory peritoneal dialysis）、ＣＣＰＤ（連続的な周期ＰＤ、continuous cyclic PD）、ＩＰＤ（断続的ＰＤ、intermittent PD）、またはＮＩＰＤ（夜間断続的ＰＤ、nightly intermittent PD）であってもよい。
【００２７】
胚形成または創傷治癒に関与するＥＭＴを分析することも興味深い。ＥＭＴの診断は、ＰＤに加えて、癌の進行および転移（特に腹部癌進行および腹膜転移）において、または（WO2014/139885 A2で開示されているような）肺を含む種々の器官における変性線維性疾患において、または術後の腹膜癒着形成において、臨床的に関連する。一般的に、ＥＭＴは腹膜疾患のマーカーとすることができる。
【００２８】
サンプルは、潜在的にＥＭＴを受けているあらゆる生物学的サンプルに由来してもよい。例えば、変性線維性障害を受けている器官または組織に由来するサンプルであってもよい。患者の体液、例えば患者の腹水、血液、血清または血漿であってもよい。サンプルがＰＤ患者由来である場合、サンプルは、好ましくは、腹膜流出物（すなわち、使用後の腹膜透析液）、腹水、血清、血漿、もしくは腹膜組織から選択されるか、またはそれらからの由来物（例えば、腹膜流出物からの培養細胞の上清）であってもよい。本発明者らは、腹膜流出物に基づいて優れた結果が得られることを示した。
【００２９】
サンプルはまた、ＥＭＴのモデル（例えば腹膜透析のモデル）として有用な、細胞または組織培養物（tissue culture）から得られる培養培地（または培養媒体、culture medium）または細胞溶解物（cell lysate）から選択することができる。例えば、ＡＲＰＥ−１９細胞はＥＭＴの有用なモデルであることが示された（Leeら（2007））。別のモデルは、例えば、ＰＤのマウスモデルである。
【００３０】
本発明はまた、好ましくは、腹膜透析患者の腹膜の上皮間葉転換の診断のために、上皮間葉転換の診断のための本発明のキットの使用を供する。ＥＭＴの状態、特に、腹膜の状態は、本発明のキットおよび方法を使用して測定することができ、早期段階と進行段階とを区別することができる。
【００３１】
本発明はまた、本発明のキットおよび／または方法を用いて患者の組織の状態を分析することを含んで成る、患者の組織（好ましくは腹膜）の上皮間葉転換の進行を予測する方法を供する。組織はまた、癌であり得、したがって、癌の進行および／または転移の予測を可能にする。
【００３２】
本発明はまた、本発明のキットおよび／または方法を用いて患者の腹膜の状態を分析することを含んで成る、腹膜透析患者の治療を最適化するための方法を供し、この治療は患者の腹膜の状態に合わせられる。この治療は、腹膜透析の可能な限り長い使用を可能にする方法で、および／または腹膜透析の効率を最適化する方法で適合させ得る。
【００３３】
本発明はまた、以下を含んで成るＰＤ溶液の検査方法を供する。
ａ）腹膜のモデルとして作用する（または機能する、serving as）腹膜または細胞または組織培養物と、ＰＤ溶液とを接触させること、および
ｂ）本発明のいずれかの診断キットおよび／または方法を用いて、腹膜または細胞または組織培養物の状態を分析すること。
【００３４】
ＰＤ溶液の検査方法は、インビボ（in vivo）またはインビトロ（in vitro）で行うことができる。本発明者らは、アクアポリン１（ＡＱＰ１）の発現が生体非適合性のＰＤ液の使用と相関するため、ＰＤ溶液を検査するためにこのマーカーの分析を含むことが好ましいことを示した。
【００３５】
本明細書で引用した文献は、参照により本明細書に十分に組み込まれる。本発明は、以下の図、実施例および例示的な態様によりさらに説明されるが、本発明を限定することを意図するものではない。
【図面の簡単な説明】
【００３６】
【図１】図１は、Ｅ（類上皮細胞、epithelioid）およびＮＥ（非類上皮細胞、non- epithelioid）に分類された、患者からの流出物におけるＶＥＧＦの発現を示し、タンパク質は抗体で定量された。分類は楕円係数（Elliptical Factor）に基づいて行った。各細胞培養物の２枚の写真を撮影した。１０個の細胞をランダムに選択し、細胞の長軸および短軸を測定し、比を計算した。各培養物の平均を計算し、この平均値が２以上である場合（細胞がその幅の２倍以上の長さである場合）、培養物を非類上皮細胞として分類し、そうでなければ類上皮細胞として分類した。類上皮細胞＝１２．７３±１２．８１ｐｇ／ｍｌ（Ｎ＝２０）、非類上皮細胞＝４３．７０±６．１８１ｐｇ／ｍｌ（Ｎ＝２０）。
【図２】図２は、上記のように、Ｅ（類上皮細胞）およびＮＥ（非類上皮細胞）に分類された、患者からの流出物におけるＧＲＥＭ１の発現を示し、タンパク質は抗体で定量された。類上皮細胞＝０．４４０５±０．３５９８ｎｇ／ｍｌ（Ｎ＝２０）、非類上皮細胞＝０．３５５５±０．３７５６ｎｇ／ｍｌ（Ｎ＝２０）。
【図３】図３は、上記のように、Ｅ（類上皮細胞）およびＮＥ（非類上皮細胞）に分類された、患者からの流出物におけるトロンボスポンジン１の発現を示し、タンパク質は抗体で定量された。類上皮細胞＝５．７９１±７．６６９ｎｇ／ｍｌ（Ｎ＝２０）、非類上皮細胞＝６６．６２±４２．１８ｎｇ／ｍｌ（Ｎ＝２０）。
【図４】図４は、クレアチニンの物質移動係数（Ｃｒ−ＭＴＣ）にしたがって分類された、患者からの流出物におけるトロンボスポンジン１の発現（すなわち腹膜を横切る輸送を決定するパラメーター）を示し、タンパク質は抗体で定量された。Ｃｒ−ＭＴＣ＜１１＝１９．１９±２６．１１ｎｇ／ｍｌ（Ｎ＝２６）、Ｃｒ−ＭＴＣ＞１１＝６７．８１±５０．６６ｎｇ／ｍｌ（Ｎ＝１４）。
【図５】図５は、楕円係数で分類された、患者からの流出物におけるＣＯＬ１３の発現を示し、タンパク質は抗体で定量された。類上皮細胞＝１６６．４±１２０．１ｎｇ／ｍｌ（Ｎ＝３３）、非類上皮細胞＝２２８．０±１３２．４ｎｇ／ｍｌ（Ｎ＝４３）。
【図６】図６は、クレアチニンの物質移動係数（Ｃｒ−ＭＴＣ）にしたがって分類された、患者からの流出物におけるＣＯＬ１３の発現を示し、タンパク質は抗体で定量された。Ｃｒ−ＭＴＣ＜１１＝１８９．８±１３２．８ｎｇ／ｍｌ（Ｎ＝５１）、Ｃｒ−ＭＴＣ＞１１＝２４３．８±１０８．６ｎｇ／ｍｌ（Ｎ＝２３）。
【発明を実施するための形態】
【実施例】
【００３７】
（実施例１）
示差的遺伝子発現研究（Differential gene expression studies）は、ＰＤ患者の流出物に由来する培養された中皮細胞において実施された。ＰＤ患者に由来する、類上皮細胞表現型を有する９つのサンプルおよび非類上皮細胞表現型を有する８つのサンプルを対照プール（４つの異なる健康なドナーの腹膜網に由来する中皮細胞）と比較した。様々な群の誘導性遺伝子（induced gene）または抑制遺伝子（repressed gene）が得られ、ＲＴ−ｑＰＣＲによって４０の遺伝子が検証された。１５の遺伝子のサブセット（または小集団、subset）の結果を表１に示す。さらに、生体適合性（例えば、BicaVera）およびより生体適合性の低い（生体非適合性）ＰＤ流体（例えば、Stay-safe）の使用にしたがって、表２に示すようにグループ分けした。表３は、生体非適合性ＰＤ流体の使用が、生体適合性ＰＤ流体の使用より高いＥＭＴ率をもたらすことを示す。表１および表２の結果は、本発明のマーカーの高い機能的意義を示す。
【００３８】
ＣＤＨ１３、ＣＯＬ６Ａ３、ＣＯＬ１３Ａ１、ＫＲＴ３４、ＭＭＰ１、ＴＨＢＳ１（ＴＰＳ１とも称される）、ＶＥＧＦＡおよびＣＤＨ１のｍＲＮＡは、類上皮細胞表現型および非類上皮細胞表現型の間で、またＰＤ流体の、特徴的な生体適合性および生体非適合性の間で統計的な差を示した。ＣＤ４４、ＴＦＩ２、ＫＤＲおよびＴＨＢＤは、類上皮細胞表現型および非類上皮細胞表現型の間で有意差を示し、ＡＱＰ１は、生体適合性ＰＤ流体および生体非適合性ＰＤ流体の間で異なった。
【表１】
2018532995.tif 000003
【表２】
2018532995.tif 000004
【表３】
2018532995.tif 000005
【００３９】
（実施例２）
酵素結合免疫吸着検定法（Enzyme-Linked ImmunoSorbent Assay、ＥＬＩＳＡ）により、２６のＰＤ患者の流出物に由来する中皮細胞の培養物から得られた上清においてタンパク質を測定し、ＰＤ処理開始時で２６検体、１２ヶ月で２６検体、１８カ月で２０検体および２４カ月で１１検体（データ示さず）のように分布した。中皮細胞を、２０％のＦＢＳおよび５０Ｕ／ｍｌのペニシリン、５０μｇ／ｍｌのストレプトマイシンおよび２％のＢｉｏｇｒｏ−２を添加したＥａｒｌｅ’ｓＭ１９９培地で培養した。細胞がコンフルエント（または密集、confluency）に達したとき、培地を２４時間の間、新鮮な培地と交換した。上清を回収し、使用するまで−８０℃で保存した。上清の分析のために、細胞溶解物中の全タンパク質で上清中のタンパク質を標準化した（normalized）。選択マーカーをＥＬＩＳＡで分析した。ＴＳＰ１、ＶＥＧＦ、ＭＭＰ２、ＣＤＨ１３およびＧＲＥＭ１は、非類上皮細胞群において、これらのタンパク質のすべてがより多量であり、類上皮細胞表現型および非類上皮細胞表現型の間で異なる発現を示した。
【００４０】
（実施例３）
ＰＤ患者に由来する４０の流出物をＥＬＩＳＡによって分析し、タンパク質レベルの異なるマーカーについての例示的データを本明細書に含める。
【００４１】
流出物中のＶＥＧＦは、類上皮細胞表現型および非類上皮細胞表現型の間で有意差を示した（図１）。これは、中皮細胞のＥＭＴの進行に応じて、ＶＥＧＦが増加することを示す。クレアチニン（Ｃｒ）の物質移動係数（ＭＴＣ）は、腹膜輸送状態を示す臨床（clinical）パラメーターである。１１よりも高いＭＴＣは、病理学的腹膜輸送（pathological peritoneal transport）に対して特徴的である。流出物におけるＶＥＧＦの結果をＭＴＣでグループ分けすると、１１よりも高いかまたは１１よりも低いＭＴＣを有する患者間で統計学的差が観察され、ＶＥＧＦはＭＴＣ＞１１群でより高かった。したがって、流出物におけるＶＥＧＦを用いて、腹膜組織の機能状態を測定し得る。生物非適合性（より攻撃的な流体）および生体適合性ＰＤ流体によってグループ化した場合、流出物におけるＶＥＧＦはまた、生体非適合性流体においてより多くのＶＥＧＦを有し、これらのグループ間で有意差を示した。
【００４２】
流出物におけるＧＲＥＭ１は、類上皮細胞群においてより多量のタンパク質を有し、類上皮細胞表現型および非類上皮細胞表現型の間に有意な差異は見られなかったが（図２）、上清において差異は有意であり、非類上皮細胞表現型がより多量のタンパク質を示した。ＭＴＣによって分類された場合、流出物におけるＧＲＥＭ１は、ＭＴＣ＜１１群においてより高いレベルのタンパク質を有し、統計的差異を示した。ＧＲＥＭ１は、生体適合性ＰＤ流体および生体非適合性ＰＤ流体の間で有意差を示さなかった。
【００４３】
類上皮細胞表現型および非類上皮細胞表現型の間で（図３）、またＭＴＣ＜１１群またはＭＴＣ＞１１群の間で（図４）、流出物におけるＴＳＰ１は有意差を示した。したがって、ＴＳＰ１は、中皮細胞／ＭＭＴプロセスのＥＭＴおよび腹膜組織における輸送と関連している。流出物におけるＴＳＰ１タンパク質は、生体適合性ＰＤ流体および生体非適合性ＰＤ流体の間で差異を示さなかったが、ｐ値（ｐ＝０．１６）は有意性を示す傾向を表す。
【００４４】
流出物におけるＣＯＬ１３も分析され、表現型およびクレアチニン輸送に依存して差異を示した。
【図１】
2018532995.tif 000006
【図２】
2018532995.tif 000007
【図３】
2018532995.tif 000008
【図４】
2018532995.tif 000009
【図５】
2018532995.tif 000010
【図６】
2018532995.tif 000011
【国際調査報告】
2018532995.tif 000012
2018532995.tif 000013